(57)【要約】【課題】使用時の環境や使用済後の焼却時における環境汚染の対策に優れ、しかも干渉縞の発生が殆どなく、映像が鮮明で見易いスクリーン生地を提供する。【解決手段】投影される映像を映し出すスクリーン生地Ａが、ポリエステルの糸１１を使用した遮光朱子織物１２で形成され、ポリエステルの糸１１に防炎処理を施すと共に、二酸化チタンを含浸させてある。ポリエステルの糸の使用により、映写に際し、光を妨げずに干渉縞が発生せず、又二酸化チタンを含浸させたので、紫外線と反応して抗菌、消臭、防臭作用を発揮する。【選択図】      図１
2004205860.tif 000002
【特許請求の範囲】
【請求項１】
投影される映像を映し出すスクリーン生地が、ポリエステルの糸を使用した遮光朱子織物で形成されていることを特徴とするスクリーン生地。
【請求項２】
上記遮光朱子織物の形成に用いたポリエステル糸に防炎処理を施したことを特徴とする請求項１に記載のスクリーン生地。
【請求項３】
上記遮光朱子織物の形成に用いたポリエステルの糸に二酸化チタンを含浸させたことを特徴とする請求項１又は２に記載のスクリーン生地。
【請求項４】
上記遮光朱子織物をポリエステル樹脂で堅仕上げしたことを特徴と請求項１乃至３の何れかに記載のスクリーン生地。
【発明の詳細な説明】
【０００１】
【発明の属する技術分野】
この発明は、会議やミーティング、家庭等において、スライド、ビデオ、コンピュータのプロジェクター、ＯＨＰ等の各種映像機器の映像を映写するために用いるスクリーン生地に関する。
【０００２】
【従来の技術】
従来、上記したような各種映像機器の映像を映写するためのスクリーン生地としては、遮光織物を単用したものや、図２に示すように、スクリーン生地ａを、綿やガラス繊維からなるベース部材１の裏面側にバックコート層２を結合一体化すると共に、ベース部材１の表面側にポリ塩化ビニル樹脂からなる表面材３を結合一体化し、その表面側に更に白色塗料を塗布し、この白色塗料４でプロジェクター等から投射される映像を映し出す反射面４を形成した構造が知られている。
【０００３】
また、スクリーンの反射性を高めるため、上記白色塗料に代えて表面材の表面にガラスビーズ層を設け、このガラスビーズ層で反射面を形成したスクリーンが特開平５−３４６６１９号によって提案されている。
【０００４】
【発明が解決しようとする課題】
ところで、上記のような遮光織物を単用した従来のスクリーン生地は、取り扱いが容易ではあるが、スクリーンとして使用すると、表面の凹凸が光の回折現象を起こし、干渉縞を発生させるため、映像が見にくいという問題がある。
【０００５】
また、多層構造になっているスクリーンは製作コストが高くつくと共に、重量的に重くなり、取り扱いに不便であるという問題がある。
【０００６】
更に、従来のスクリーン生地には、使用時のシックハウス症候群の発生対策や、使用済後の焼却時における環境汚染に対する配慮がなされていないという問題もある。
【０００７】
そこで、この発明の課題は、使用時の環境や使用済後の焼却時における環境汚染の対策に優れ、しかも、干渉縞の発生が殆どなく、映像が鮮明で見易いと共に、防炎性だけでなく、抗菌、消臭、防臭作用を発揮することができ、重量の軽減が実現できるスクリーン生地を提供することにある。
【０００８】
【課題を解決するための手段】
上記のような課題を解決するため、この発明は、投影される映像を映し出すスクリーン生地が、ポリエステルの糸を使用した遮光朱子織物で形成されている構成を採用したものである。
【０００９】
このように、遮光朱子織物を横使いすることにより、光を妨げずに干渉縞を殆ど発生させないという利点があると共に、ポリエステルは、焼却時にダイオキシンが発生せず、また、シックハウス症候群の主要原因である、ホルムアルデヒドが発生することなく、環境的に優れた素材である。
【００１０】
また、上記遮光朱子織物の形成に用いたポリエステルの糸に防炎処理を施したり、二酸化チタンを含浸させることができる。
【００１１】
上記防炎処理は、プロム系の防炎剤をポリエステル系の素材と化学的に結合させることによって得られ、また、二酸化チタンを含浸させることにより、光源から照射された光線中の紫外線が二酸化チタンと反応し、細菌、臭い粒子、汚れ粒子と結合して、抗菌、消臭、防臭作用を発揮することになる。
【００１２】
更に、上記遮光朱子織物をポリエステル樹脂で堅仕上げした構造とすることもでき、スクリーン生地自体が立ち上がり、スクリーン生地を張設するフレームの負荷を軽減することができる。
【００１３】
【発明の実施の形態】
以下、この発明の実施の形態を図示例と共に説明する。
【００１４】
図１に示すように、各種映像機器の映像を映写するために用いるスクリーン生地Ａは、ポリエステル１００％の糸１１を使用した遮光朱子織物１２で形成されている。
【００１５】
この遮光朱子織物１２は、表糸１１ａと裏糸１１ｂを図１（Ｂ）のようなパターンの断面構造に織り上げたものであり、この遮光朱子織物１２を横使いすることにより、映写の場合でもビデオやコンピュータのプロジェクターとして使用する場合も、光を妨げずに干渉縞を殆ど発生させないという利点がある。
【００１６】
上記スクリーン生地Ａの形成に用いたポリエステルの特性は、焼却時にダイオキシンが発生せず、また、シックハウス症候群の主要原因である、ホルムアルデヒト（ＨＣＨＯ）が発生することもなく、環境的に優れた素材である。
【００１７】
このスクリーン生地Ａには、防炎加工処理と、抗菌、消臭、防臭処理が施されている。
【００１８】
先ず、防炎加工処理については、遮光朱子織物１２の表糸１１ａは分散染料、裏糸１１ｂはカチオン塗料で染めるが、何れの場合の染色時にも、プロム系（臭素化ジフェニールエーテル「ＰＢＤＥ」）の防炎剤を投入し、ポリエステル素材と化学結合させ、防炎試験レベルに合致させるようにする。
【００１９】
なお、スクリーン生地Ａの裏面をグレー系に染色しているのは、スクリーン製作上の手汚れの防止と他色を拾わないようにするためである。
【００２０】
次に抗菌、消臭、防汚処理は、ポリエステル系１１に二酸化チタン（ＴｉＯ2）を含浸させることによって行う。
【００２１】
このように、スクリーン生地Ａを形成するポリエステル糸１１に二酸化チタンを含浸させると、光源（ハロゲンランプ）から照射された光線中の紫外線が二酸化チタンと反応し、細菌、臭い粒子、汚れ粒子と結合し、抗菌、消臭、防汚作用を起こすことになる。
【００２２】
また、上記したスクリーン生地Ａは、遮光朱子織物１２にエマルジョン化したポリエステル樹脂を流し込み、強酸により堅仕上げされている。
【００２３】
このように、堅仕上げするとスクリーン生地Ａ自体が立ち上がり、スクリーンの形成のためにフレームに取り付けたとき、フレームの負荷を軽減し、スクリーンの総重量を軽減することができる。
【００２４】
この発明のスクリーン生地は、上記のような構成であり、図１（Ａ）に示すように、スクリーン生地Ａをフレーム１３に張設することによってスクリーン１４を形成し、各種映像機器１５からの映像を映写するものであり、スクリーン生地Ａは、遮光朱子織物１２を横使いすることにより、映写の場合でも、ビデオやコンピュータのプロジェクターとして使用する場合も、光を妨げずに干渉縞を殆ど発生させないので、非常に鮮明な映像が得られることになる。
【００２５】
また、スクリーン生地Ａは、ポリエステルの糸Ａに二酸化チタンを含浸させてあるので、各種映像機器１５から照射された光線中の紫外線が二酸化チタンと反応し、細菌、臭い粒子、汚れ粒子と結合するので、細菌、消臭、防汚作用を起こすことにより、スクリーン１４を設置した周辺の環境を改善することができる。
【００２６】
上記スクリーン生地Ａには、防炎加工処理が施してあるので、各種映像機器１５から照射された光源により温度上昇で発火するような危険性が全くないと共に、スクリーン生地Ａにポリエステルの糸１１を使用しているので、スクリーン１４を設置した室内において、シックハウス症候群の主要原因である、ホルムアルデヒド（ＨＣＨＯ）の発生がなく、室内環境を悪化させるようなことがないと共に、焼却時にはダイオキシンが発生せず、地球環境に優しい製品となる。
【００２７】
【発明の効果】
以上のように、この発明によると、ポリエステルの糸を使用した遮光朱子織物でスクリーン生地を形成したので、各種映像機器からの映像を映写した際に光を妨げずに干渉縞が殆ど発生せず、鮮明な映像を映し出すことができる。
【００２８】
また、遮光朱子織物の形成に用いたポリエステルの糸に防炎処理を施したので、各種映像機器から照射された光線による、温度上昇で発火するような危険性が全くなくなる。
【００２９】
更に、遮光朱子織物の形成に用いたポリエステルの糸に二酸化チタンを含浸させたので、光源から照射された光線中の紫外線が二酸化チタンと反応し、細菌、臭い粒子、汚れ粒子と結合して、抗菌、消臭、防臭作用を発揮することになる。
【００３０】
更にまた、遮光朱子織物をポリエステル樹脂で堅仕上げしたので、スクリーン生地自体が立ち上り、スクリーン生地を張設するフレームの負荷を軽減することで、スクリーン全体の重量の軽減化が実現できる。
【００３１】
また、スクリーン生地にポリエステルの糸を使用したので、焼却時にダイオキシンが発生せず、地球環境に優しいだけでなく、シックハウス症候群の主要原因であるホルムアルデヒドが発生しないので、室内環境の悪化も防ぐことができる。
【図面の簡単な説明】
【図１】（Ａ）はこの発明に係るスクリーン生地を用いて形成したスクリーンと映像機器を示す斜視図。
（Ｂ）はスクリーン生地の断面構造を拡大して示す縦断面図。
【図２】従来のスクリーン生地を示す縦断面図。
【符号の説明】
Ａ      スクリーン生地
１１    ポリエステルの糸
１２    遮光朱子織物
１３    フレーム
１４    スクリーン
１５    各種映像機器
【図１】
2004205860.tif 000003
【図２】
2004205860.tif 000004